(57)【要約】      （修正有）【課題】ノートや手帳、アルバム、スクラップブック、封筒、ファイルなどに、事後的に、年間又は月間のカレンダーを表示したページを付加したり、事後的に付加したカレンダーにスケジュールやその他の必要事項を簡易に表示したりすることを可能にする文具を提供する。【解決手段】年間カレンダー１０と、複数枚の月間カレンダー２０と、複数種類のマーカー片を備えたマーキング用ステッカー３０と、ステッカーケース４０と、を有する。年間カレンダー１０などを外ケース５０に収納しておく。各カレンダーのシートの裏面には、紙面に貼着剥離可能な装着層と、粘着層を覆う剥離紙とが備えられている。【選択図】図１
0003170816.tif 000002
【実用新案登録請求の範囲】
【請求項１】
数カ月分の暦月を１枚のシートの表面に表示した複数月カレンダーと、この複数月カレンダーに表示されている暦月の中から選択された暦月を１枚ごとのシートの表面に分けて表示してなる複数枚の月間カレンダーと、複数種類のマーカー片をベースシートに剥離可能に保持させたインデックス付箋を含むマーキング用ステッカーと、を有し、
上記の複数月カレンダー及び月間カレンダーの各シートのそれぞれの裏面に、ノート及び類似物の紙面に貼着剥離可能な粘着層とその粘着層を覆う剥離紙とが配備されていると共に、上記ベースシートから剥離された上記マーカー片が、ノート及び類似物の紙面に貼着可能な粘着層を有するように形成されていることを特徴とするノート及び類似物のカスタマイズ用文具。
【請求項２】
上記マーキング用ステッカーを差し込み状態で保持可能に形成されると共に、裏面に、ノート及び類似物の紙面に貼着剥離可能な粘着層とその粘着層を覆う剥離紙とが配備されているステッカーケースを備えている請求項１に記載したノート及び類似物のカスタマイズ用文具。
【請求項３】
上記マーキング用ステッカーに保持されているところの、インデックス付箋を除くマーカー片が、上記の複数月カレンダー及び月間カレンダーの表示事項を透過する透明性を備えている請求項１又は請求項２に記載したノート及び類似物のカスタマイズ用文具。
【請求項４】
上記複数月カレンダーのシートの表面に１年間の全部の暦月が表示されていて、複数枚の上記月間カレンダーのそれぞれが、上記複数月カレンダーに表示されている全部の暦月に各別に対応している請求項１又は請求項２又は請求項３に記載したノート及び類似物のカスタマイズ用文具。
【請求項５】
上記複数月カレンダーと、複数枚の上記月間カレンダーと、上記マーキング用ステッカーと、上記ステッカーケースと、を収納するための外ケースをさらに有し、
この外ケースが、複数枚の上記月間カレンダーを収納する第１ポケットを備えた中央台紙部と、この中央台紙部の片側に折畳み展開可能に連設されて上記マーキング用ステッカー及び上記ステッカーケースを重なり状態で収納する第２ポケットを備えた片側台紙部と、上記中央部台紙の他側に折畳み展開可能に連設されて上記複数月カレンダーを収納する第３ポケットを備えた他側台紙部と、を備え、上記他側台紙部は、上記中央台紙部の上に重なり状に折り畳まれた上記片側台紙部の上に、さらに重なり状に折畳み可能である請求項２乃至請求項４のいずれか１項に記載したノート及び類似物のカスタマイズ用文具。
【考案の詳細な説明】
【技術分野】
【０００１】
本考案は、ノート及び類似物のカスタマイズ用文具、詳しくは、カレンダーやマーカー片などを個人所有のノートや手帳、アルバム、スクラップブック、封筒、ファイルなどに貼り付けることによって、それらを自己の使い勝手や趣味感に合わせてカスタマイズすることを可能にするための対策が講じられたノート及び類似物のカスタマイズ用文具に関する。
【背景技術】
【０００２】
市販されている汎用的な手帳では、年間カレンダーや月間カレンダーなどを予め印刷したページが綴じ込まれている。
【０００３】
また、室内壁面などに吊り下げて利用するカレンダーには、カレンダーに表示されている日付欄の余白に予定を書き込んだりすることが多々行われている。さらに、予定などを手書きで書き込んだシールを、カレンダーに表示されている日付欄の余白に貼り付けるようにすることも提案されている（たとえば、特許文献１参照）。
【先行技術文献】
【特許文献】
【０００４】
【特許文献１】実用新案登録第３１３０９１８号公報
【考案の概要】
【考案が解決しようとする課題】
【０００５】
しかしながら、年間カレンダーや月間カレンダーなどのページが綴じ込まれているような上記手帳では、使用者にとってそれらの年間カレンダーや月間カレンダーなどのページが、必ずしも使い勝手のよい箇所に綴じ込まれているとは限らない。
【０００６】
また、年間カレンダーや月間カレンダーなどのページが存在していないような自己所有のノートに、年間カレンダーや月間カレンダーを表示させたり、それらのカレンダーに予定などを書き込んだりすることができるように、そのノートを所有者の使い勝手や趣味感に合わせてカスタマイズすることができれば便利である。
【０００７】
本考案は以上の状況の下でなされたものであり、ノートや、その類似物である手帳、アルバム、スクラップブック、封筒、ファイルなどに、事後的に、年間又は月間のカレンダーを表示したページを付加したり、事後的に付加したカレンダーにスケジュールやその他の必要事項を簡易に表示したりすることを可能にするノート及び類似物のカスタマイズ用文具を提供することを目的としている。
【課題を解決するための手段】
【０００８】
本考案に係るノート及び類似物のカスタマイズ用文具は、数カ月分の暦月を１枚のシートの表面に表示した複数月カレンダーと、この複数月カレンダーに表示されている暦月の中から選択された暦月を１枚ごとのシートの表面に分けて表示してなる複数枚の月間カレンダーと、複数種類のマーカー片をベースシートに剥離可能に保持させたインデックス付箋を含むマーキング用ステッカーと、を有している。そして、上記の複数月カレンダー及び月間カレンダーの各シートのそれぞれの裏面に、ノート及び類似物の紙面に貼着剥離可能な粘着層とその粘着層を覆う剥離紙とが配備されていると共に、上記ベースシートから剥離された上記マーカー片が、ノート及び類似物の紙面に貼着可能な粘着層を有するように形成されている。
【０００９】
このように構成されているカスタマイズ用文具によれば、複数月カレンダーや複数枚の月間カレンダーを、自己所有のノートのページに貼り付けるだけで、そのノートをカスタマイズして使い勝手や趣味感を高めることが可能になる。また、ベースシートから剥離したインデックス付箋をノートのページに貼り付けたり、マーカー片などのマーキング用ステッカーを月間カレンダーの所定の日付欄に貼り付けたりすることによって、予定の日付を他の日付から判りやすく区別したり、注意すべき日付を強調したりすることも可能である。
【００１０】
本考案では、上記上記マーキング用ステッカーを差し込み状態で保持可能に形成されると共に、裏面に、ノート及び類似物の紙面に貼着剥離可能な粘着層とその粘着層を覆う剥離紙とが配備されているステッカーケースを備えていることが望ましい。これによれば、例えば、ノートの裏表紙等にステッカーケースを貼り付け、その中に未使用のマーカー片やインデックス付箋を備えたマーキング用ステッカーを差し込んだ状態で保管することができる。
【００１１】
本考案では、上記マーキング用ステッカーに保持されているところの、インデックス付箋を除くマーカー片が、上記の複数月カレンダー及び月間カレンダーの表示事項を透過する透明性を備えていることが望ましい。これによれば、マーカー片を複数月カレンダー及び月間カレンダーの表示事項の上に貼り付けても、そのマーカー片を透して表示事項が見えるので便利である。
【００１２】
本考案では、上記複数月カレンダーのシートの表面に１年間の全部の暦月が表示されていて、複数枚の上記月間カレンダーのそれぞれが、上記複数月カレンダーに表示されている全部の暦月に各別に対応している、という構成を採用することが可能である。この構成であれば、自己所有のノートなどに年間カレンダーや月間カレンダーを使い勝手よく表示させることが可能になる。
【００１３】
本考案では、上記複数月カレンダーと、複数枚の上記月間カレンダーと、上記マーキング用ステッカーと、上記ステッカーケースと、を収納するための外ケースをさらに有し、この外ケースが、複数枚の上記月間カレンダーを収納する第１ポケットを備えた中央台紙部と、この中央台紙部の片側に折畳み展開可能に連設されて上記マーキング用ステッカー及び上記ステッカーケースを重なり状態で収納する第２ポケットを備えた片側台紙部と、上記中央部台紙の他側に折畳み展開可能に連設されて上記複数月カレンダーを収納する第３ポケットを備えた他側台紙部と、を備え、上記他側台紙部は、上記中央台紙部の上に重なり状に折り畳まれた上記片側台紙部の上に、さらに重なり状に折畳み可能である、という構成を採用することが可能である。
【００１４】
この構成によれば、外ケースの第１ポケットに複数月カレンダを、第２ポケットにマーキング用ステッカー及びステッカーケースを、第３ポケットに複数枚の月間カレンダーをそれぞれ収納し、その状態で、中央台紙部と片側台紙部と他側台紙部とを３枚重ね状態に折り畳むことが可能である。そのため、複数月カレンダー、月間カレンダー、マーキング用ステッカー及びステッカーケースを、外ケースにコンパクトに収納して取り扱うことが可能になる。そのため、店内での販売に便利であるだけでなく、購入者にとっても保管などの取扱いを便利に行うことができるようになる。
本考案に係るノート及び類似物のカスタマイズ用文具の構成や使用状態、ノート及び類似物のカスタマイズの態様については、以下の実施形態を参照して具体的に説明する。
【考案の効果】
【００１５】
以上のように、本考案に係るノート及び類似物のカスタマイズ用文具は、ノートや手帳、アルバム、スクラップブック、封筒、ファイルなどに、事後的に、年間又は月間のカレンダーを表示したページを付加したり、事後的に付加したカレンダーにスケジュールやその他の必要事項を簡易に表示したりすることを可能にするものであるので、それらを自己の使い勝手や趣味感に合わせて容易にカスタマイズすることが可能になる。
【図面の簡単な説明】
【００１６】
【図１】本考案の実施形態に係るカスタマイズ用文具の外ケースを展開した状態での概略斜視図である。
【図２】図１のカスタマイズ用文具の外ケースを折り畳んだ状態での概略斜視図である。
【図３】年間カレンダーを例示した説明図である。
【図４】月間カレンダーを例示した説明図である。
【図５】マーキング用ステッカーを例示した説明図である。
【図６】ステッカーケースを例示した説明図である。
【図７】年間カレンダー及び月間カレンダーの剥離紙などを示した説明図である。
【図８】ノートをカスタマイズした事例を示した説明図である。
【考案を実施するための形態】
【００１７】
図１は本考案の実施形態に係るカスタマイズ用文具の外ケース５０を展開した状態での概略斜視図、図２は図１の外ケース５０を折り畳んだ状態での概略斜視図である。
【００１８】
実施形態に係るカスタマイズ用文具は、１枚の年間カレンダー１０と、複数枚の月間カレンダー２０と、マーキング用ステッカー３０と、ステッカーケース４０と、それら全部を収納するための外ケース５０と、を備えている。以下、これらについて詳細に説明する。
【００１９】
図３に年間カレンダー１０を例示している。この年間カレンダー１０は、当該年度の１月から１２月までの１２か月に亘る複数の暦月と、前年度の１０月から１２月までの３か月に亘る複数の暦月と、を矩形のカード型に形成された紙製のシート１１の表面に印刷表示してなる。図例では、前年度の３か月分の暦月が上段側に横に並べて表示され、当該年度の１２か月分の暦月が、下段側に縦横に並べて表示されている。
【００２０】
図４に月間カレンダー２０を例示している。この月間カレンダー２０は、矩形のカード型の紙製のシート２１の表面に１か月分の日付欄を印刷表示してなる。また、個別の日付欄には余白が付与されていて、その余白に鉛筆やボールペンなどで必要事項（予定や注意書きなど）を書き込むことができるようになっている。月間カレンダー２０は全部で１５枚あり、その１枚ずつに、各別に、図３に示した年間カレンダー１０に表示されている当該年度の１２か月分と前年度の３か月分とに相当する暦月の日付が表示されている。
【００２１】
図５にマーキング用ステッカー３０を例示している。マーキング用ステッカー３０は、腰の強いプラスティック製のフィルム又はシートでなる透明なベースシート３１にプラスティック製のフィルムでなる多くのマーカー片３２を剥離可能に保持させてなる。図例のマーキング用ステッカー３０では、円形などの図形や動物などをあしらった多数の汎用マーカー片３３のほか、インデックス付箋３４などが含まれている。このうち、汎用マーカー片３３は、図４に示した月間カレンダー２０に表示されている日付欄に納まるようにその日付欄に貼り付けることができる程度の大きさに形成されている。また、汎用マーカー片３３は、図３の年間カレンダー１０や図４の月間カレンダー２０に印刷表示されている事項（日付、年度など）を透過する透明性を備え、しかも、赤、青、橙、黒などに着色されている。インデックス付箋３４や汎用マーカー片３３は、裏面に粘着層を有していて、ベースシート３１から引き剥がしたインデックス付箋３４や汎用マーカー片３３にその粘着層が残留するようになっている。さらに、インデックス付箋３４は、同図に拡大して示したように、中央部で折り曲げてノートなどのページの端縁を挟み付けることにより、そのページ端縁に貼り付けることができるようになっている。
【００２２】
図６にステッカーケース４０を例示している。このステッカーケース４０は、略四角形の透明な樹脂フィルムを２枚重ねにしてその３つの端縁部を熱溶着することによって１つの開き口４１を具備させてある。ステッカーケース４０の裏面には、ノート及び類似物の紙面に貼着剥離可能な粘着層とその粘着層を覆う剥離紙とが配備されていて、図６には粘着層と剥離紙との円形の重なり箇所を符号４２で示してある。このステッカーケース４０では、上記したマーキング用ステッカー３０を開き口４１に差し込んだ状態で保持することができる。
【００２３】
図７は年間カレンダー１０及び月間カレンダー２０の剥離紙６０などを示した説明図である。年間カレンダー１０及び月間カレンダー２０は、同図に示したように、それらの裏面に粘着層とその粘着層を覆う剥離紙６０を備えている。そして、この実施形態では、剥離紙６０の長手方向中間部に切り目６１を入れることによって、図示のように剥離紙６０を半分ずつ引き剥がすことができるようにしてその取扱性を高めている。
【００２４】
図１のように、外ケース５０は、複数枚の月間カレンダー２０を収納する第１ポケット５１を備えた中央台紙部５２と、この中央台紙部５２の片側に折畳み展開可能に連設されてマーキング用ステッカー３０及びステッカーケース４０を重なり状態で収納する第２ポケット５３を備えた片側台紙部５４と、中央台紙部５２の他側に折畳み展開可能に連設されて年間カレンダー１０を収納する第３ポケット５５を備えた他側台紙部５６と、を備えている。そして、図２のように、他側台紙部５６は、中央台紙部５２の上に重なり状に折り畳まれた片側台紙部５４の上に、さらに重なり状に折畳み可能である。このように折り畳んだ外ケース５０に、年間カレンダー１０、月間カレンダー２０、マーキング用ステッカー３０及びステッカーケース４０を収納させておくと、全体がコンパクトになって店内での販売に便利であるだけでなく、購入者にとっても保管などの取扱いを便利に行うことができるようになる。なお、外ケース５０は紙製であってもプラスチック製であってもよい。
【００２５】
図８は、上記した年間カレンダー１０、月間カレンダー２０、インデックス付箋３４や汎用マーカー片３３を用いてノート７０をカスタマイズした事例を示した説明図である。この事例では、ノート７０の所定のページに年間カレンダー１０を貼り付けてある。また、月間カレンダー２０を別のページに貼り付けてある。さらに、月間カレンダー２０が貼り付けられたページの端縁には、その月間カレンダー２０に対応する暦月を表示したインデックス付箋３４を貼り付けてある。さらに、月間カレンダー２０の特定の日付欄に汎用マーカー片３３を貼り付けたり、日付欄にメモを書き添えたりしてある。さらに図示していないけれども、ノート７０の裏表紙に、ステッカーケース４０を貼り付け、その中に未使用のマーカー片やインデックス付箋を備えたマーキング用ステッカー３０を保管してある。
【００２６】
本考案に係るカスタマイズ用文具は上記した実施形態に限定されない。たとえば、上記した年間カレンダー１０を、数カ月分（たとえば半年分）の暦月を１枚のシートの表面に表示した複数月カレンダーに置き換えることができる。そして、この場合には、月間カレンダー２０を、複数月カレンダーに表示されている暦月の中から選択された暦月を１枚ごとのシートの表面に分けて表示してなる複数枚の月間カレンダーに置き換えることができる。
【００２７】
上記の実施形態によると、複数月カレンダー（年間カレンダー）が１枚のシール形式であり、月間カレンダーが１か月ごとに別々に分かれた１枚ごとのシール形式になっているので、ノートのページ数を気にすることなく、そのノートを自由にカスタマイズすることができる。また、ページに貼り付けたインデックス付箋を利用して月間カレンダーを貼り付けてあるページを容易に開くことができる。さらに、汎用マーカー片を利用して月間カレンダーに表示されている日付や文字を目立たせることが容易に可能になる。
【００２８】
また、上記の実施形態では、ノートをカスタマイズした事例を説明したけれども、カスタマイズの対象物としては、ノートに限定されることはなく、たとえば、手帳、アルバム、スクラップブック、封筒、ファイルなどを挙げることができる。
【００２９】
さらに、上記の実施形態では、カスタマイズ用文具に外ケース５０を含ませてあるけれども、この点は、外ケース５０を省略し、複数月カレンダーと、月間カレンダーと、マーキング用ステッカーと、ステッカーケースとによってカスタマイズ用文具を構成することも可能である。
【符号の説明】
【００３０】
１０  年間カレンダー（複数月カレンダー）
２０  月間カレンダー
３０  マーキング用ステッカー
３３  汎用マーカー片（マーカー片）
３４  インデックス付箋（マーカー片）
４０  ステッカーケース
６０  剥離紙
５０  外ケース
５１  第１ポケット
５２  中央台紙部
５３  第２ポケット
５４  片側台紙部
５５  第３ポケット
５６  他側台紙部
【図１】
0003170816.tif 000003
【図２】
0003170816.tif 000004
【図６】
0003170816.tif 000005
【図７】
0003170816.tif 000006
【図３】
0003170816.tif 000007
【図４】
0003170816.tif 000008
【図５】
0003170816.tif 000009
【図８】
0003170816.tif 000010